(57)【要約】      （修正有）【課題】気体や流体の流れに対して気体や流体が当たるブレ−ド面に溝を入れてブレ−ド面の面積を多くして気体や流体が当たるブレ−ドに力を増すようにする。【解決手段】気体や流体が当たるブレ−ド面1に縦状に溝2を入れる、気体や流体が当たるブレ−ド面に横状に溝を入れる、気体や流体が当たるブレ−ド面の反対側の面に縦状に溝を入れて反対面を縦状の凸凹面してその反対面を気体や流体が通ると渦が巻かなくプレ−ドが回転しやすい、気体や流体が当たるブレ−ド面の反対面に横状に溝を入れて反対面を横状の凸凹面にしその反対面を気体や流体が通りやすくなってプレ−ドが回転しやすくなる。【選択図】図１
2015158168.tif 000002
【特許請求の範囲】
【請求項１】
気体の流れや流体の流れが当たる羽根(ブレ−ド)面に溝を入れる、
【請求項２】
請求項１の溝はいろいろな方向や回転やラセン状や長さやいろいろな形が有る
【請求項３】
気体や流体が当たるプレ−ド面に溝を入れることでブレ−ド面の面積が多くなって気体や流体の力でブレ−ドの回転力が増す、
【請求項４】
気体や流体が当たるブレ−ド面に溝を入れることで気体や流体が溝に当たって溝に圧力がかかりブレ−ドに力が加わって回転力が増す、
【請求項５】
気体や流体の当たるブレ−ド面の縦に溝を入れる、
【請求項６】
請求項５のブレ−ド面に溝を入れるとブレ−ド面の面積が多くなって気体や流体が当たると力が増してブレ−ドの回転力が増す、
【請求項７】
請求項５のブレ−ド面に溝を入れると気体や流体が溝に当たって溝に圧力がかかってブレ−ドに力が加わってブレ−ドの回転力が増す、
【請求項８】
ブレ−ド面に気体や流体が直角に当たるように縦に溝を付ける、
【請求項９】
請求項８のように溝を入れると気体や流体が溝に当たるとブレ−ドが回転しやすい方向に気体や流体が流れていくのと
【請求項１０】
流れていかない気体や流体は溝に入って溝に圧力が加かって増して相乗効果でブレ−ドの回転力が増す、
【請求項１１】
気体や流体が当たるブレ−ド面に横に溝を入れる、
【請求項１２】
請求項１１のように溝を入れることで気体や流体がブレ−ドの回転しやすい方向に流れるのと
【請求項１３】
溝によってブレ−ドの面積が多くなってブレ−ドに気体や流体の当たる力が増してブレ−ドの回転力が増すのと
【請求項１４】
気体や流体が溝に入って溝に圧力がかかりブレ−ド面に力が加わりブレ−ドの回転力が増す、
【請求項１５】
気体や流体が当たるブレ−ドの反対面に縦状に凹凸の溝を付ける、
【請求項１６】
ブレ−ドに気体や流体が通り抜けるとブレ−ドの反対面に渦が出来てブレ−ドの回転力が落ちるが請求項１５のようにブレ−ドの反対面に縦状に凹凸の溝を付けることで気体や流体がプレ−ドを通り抜ける時にブレ−ドの反対側には渦が出来なくブレ−ドの回転力が増す、
【請求項１７】
気体や流体の当たるブレ−ドの反対面に横状に凹凸の溝を付ける、
【請求項１８】
気体や流体が当たるブレ−ドの反対面に横状の凹凸を付けることで気体や流体がブレ−ドの反対面を通りやすくなってブレ−ドの回転がしやすい、
【請求項１９】
請求項１５，１６と請求項１７，１８の組み合わせで、請求項１５，１６のブレ−ドの反対面に縦状に凹凸の溝を入れて、その溝に請求項１７，１８の横状に溝を入れる、
【請求項２０】
請求項１９のようにブレ−ドの反対面に凹凸の溝を付けることで気体や流体はプレ−ドの反対面を通り抜ける時に気体や流体は渦状にならなくブレ−ドの反対面を気体や流体が通りやすくなってブレ−ドが回転しやすい様になる、
【請求項２１】
気体や流体が当たるブレ−ドを薄い、鉄やアルミニュウムやステンレスやトタンやブリキや金属やプラスチックにしてブレ−ドの縦状に端から端までを多くのへの字の形に折りまげたブレ−ドを造る、
【請求項２２】
ブレ−ドをうすくして縦状に多くのへの字の形に折り曲げたブレ−ドは多くのへの字に曲げることで強さが増して丈夫になる、
【請求項２３】
ブレ−ドをうすくして縦状に多くのへの字に折り曲げたブレ−ドは軽くて丈夫で気体や流体の流れに当たると回転力が増す、
【請求項２４】
ブレ−ドをうすくして縦状に多くのへの字に折り曲げたブレ−トはブレ−ドの面積が多くなっているのでブレ−ドに気体や流体が当たるとブレ−ドの回転力が増す、
【請求項２５】
ブレ−ドをうすくして縦状に多くのへの字に折り曲げたブレ−ドに気体や流体が当たるとへの字の溝のところに気体や流体が当たって溝の中で圧縮されてブレ−ド全体に有る溝が気体や流体で圧縮されて圧力されてブレ−ド全体に力が増して回転力が増す、
【請求項２６】
ブレ−ドをうすくして縦状に多くのへの字に折り曲げたブレ−ドに気体や流体が当たる反対側のブレ−ド面は多くのへの字の凸凹状になっており気体や流体がブレ−ドの反対側を通る時に気体や流体は渦状にならなくブレ−ドが回転しやすい、
【請求項２７】
風力発電機用ブレ−ドに鳥など飛行する生物がぶつからない様にブレ−ドにＬＥＤの明かりを付ける、鳥などがＬＥＤ電球の明かりを見て飛行を回避して衝突しない様にしている、
【請求項２８】
風力発電機用ブレ−ドに鳥など飛行する生物がぶつからない様にブレ−ドや風力発電機本体などから鳥などが嫌がる音や超音波を出す、鳥などが嫌な音や超音波を避けて飛行して衝突しない様にする、
【請求項２９】
弱い気体の流れや弱い流体の流れでも筒の中を流らして気体や流体の流れを圧縮して流れを早くしてブレ−トを回転させて発電を行う、
【請求項３０】
弱い気体の流れや弱い流体の流れでも気体や流体を圧縮して流れを早くして縦状の回転羽(ブレ−ド)を回転させて発電を行う、
【請求項３１】
請求項３０の縦状ブレ−ドの発電機は風の向きによって縦状の回転羽が回転しやすい様に発電機の縦状本体の向きを変えて整えて発電を行う、
【発明の詳細な説明】
【技術分野】
【０００１】
気体や流体の流れに対して回転効率を良くした羽根(ブレ−ド)
【背景技術】
【０００２】
従来の羽根(ブレ−ド)は気体や流体に対して羽根の角度の調整を主体として回転しやすい様にさせていたのを、
【発明の開示】
【課題を解決するための手段】
【０００３】
従来の羽根(ブレ−ド)は気体や流体に対してブレ−ドの角度の調整を主体として回転しやすい様に調整していたのを、気体や流体が当たる側の羽根(ブレ−ド)に溝を入れてブレ−ドの面積を多くして気体や流体の当たる量を多くしてブレ−ドが回転しやすい様にする、ブレ−ドに溝を付けることで溝に気体や流体が入り込んで圧力が高まりブレ−ド全体に回転するための圧力が高まりブレ−ドが回転しやすい様になる、
気体や流体の当たる反対側のブレ−ドの面に溝を付けて気体や流体が反対側のブレ−ドの面を通る時に渦などが巻かないようになって気体や流体がブレ−ドの反対側面を通りやすくすることでブレ−ドの回転がしやすい様になる、
【０００４】
気体や流体に対して気体や流体が当たる側の羽根(ブレ−ド)に溝を入れてブレ−ドの面積を多くして気体や流体の当たる量を多くしてブレ−ドが回転しやすい様にする、
ブレ−ドに溝を付けることで溝に気体や流体が入り込んで圧力が高まりブレ−ド全体に回転するための圧力が高まりブレ−ドが回転しやすい様になる、
気体や流体の当たる反対側のブレ−ドの面に溝を付けて気体や流体が反対側のブレ−ドの面を通る時に渦などが巻かないようになって気体や流体がブレ−ドの反対側面を通りやすくすることでブレ−ドの回転がしやすい様になる、
【発明の効果】
【０００５】
気体や流体の当たるブレ−ド面に溝を付けてプレ−ドの面積を多くして気体や流体が多く当たってブレ−ドが回転しやすい様になって、気体や流体が溝の中に入って溝の中で気体や流体の圧力が高まりブレ−ド全体に気体や流体の圧力が高まりブレ−ドが回転しやすい様になる、
気体や流体が当てる反対側のブレ−ト面に溝を付けて気体や流体が反対側のブレ−ド面を通る時に渦などが巻かないようになって気体や流体がブレ−ドの反対側面を通りやすくなってブレ−ドの回転がしやすい様になる、
これらのことによってブレ−ドの回転で得られる発電量などが多くなって利益になる、
【発明を実地するための最良の形態】
【０００６】
請求項１は気体の流れや流体の流れが当たる羽根面(プレ−ド面)に溝を入れる、溝の大きさは決まっていない、
【０００７】
請求項２は請求項１の溝はいろいろな方向や回転やラセン状や長さやいろいろな形がある、
【０００８】
請求項３は気体や流体が当たるブレ−ド面に２図の２のように溝を入れることでブレ−ド面の面積が大きくなって気体や流体のプレ−ド面を押す力が増してブレ−ドの回転力が増す、
【０００９】
請求項４は気体や流体が当たるブレ−ド面に溝を入れることで３図の３の気体や流体が２の溝に当たって気体や流体が４のように溝に圧力をかけてブレ−ド面に力が加わってブレ−ドの回転力が増す、
【００１０】
請求項５は気体や流体の当たるブレ−ド面の縦に１図の２のように溝を入れる、溝の大きさは決まっていない、
【００１１】
請求項６は請求項５のようにブレ−ド面の縦に溝を入れると２図の２のようにブレ−ド面の面積が多くなって気体や流体がブレ−ド面に当たる力が増してブレ−トの回転が速くなったりする、
【００１２】
請求項７は請求項５のようにブレ−ド面の縦に溝を入れると気体や流体が３図の４のように溝に当たって溝に圧力がかかってブレ−ド面全体に圧力がかかって気体や流体の当たる力がブレ−ド面全体に増してブレ−ドの回転が速くなったりする、
【００１３】
請求項８はブレ−ド面に気体や流体が直角に当たるように４図の５のように縦に溝を付ける，溝の大きさは決まっていない、
【００１４】
請求項９は請求項８のように溝を入れると５図の３の気体や流体が溝に当たるとブレ−ド面が回転しやすい様に６のように気体や流体が流れていくのと
【００１５】
流れていかない気体や流体は７のように溝に入って溝に圧力がかかって増して相乗効果でブレ−ドの回転力が増す、
【００１６】
請求項１１は気体や流体が当たるブレ−ド面に６図８のように横に溝を入れる、溝の大きさは決まっていない、
【００１７】
請求項１２は請求項１１のように横に溝を入れることで２１図の４０のように気体や流体がブレ−ドの回転しやすい方向に流れるのと
【００１８】
溝によって２２図のようにブレ−ド面の面積が多くなって気体や流体の当たる面が多くなって気体や流体の当たる力が増してブレ−ドの回転力が上がるのと
【００１９】
溝に気体や流体が２２図の４１のように当たって入り込んで圧力がかかって気体や流体の当たる力が増してブレ−ドの回転力が上がる、
【００２０】
請求項１５は７図の３の気体や流体が当たるブレ−ドの反対の面に縦状に９のように凸凹の溝を付ける、溝の大きさは決まっていない、、ブレ−ドを縦断面状に見ている、
【００２１】
請求項１６は８図のブレ−ドを縦断面状から見たブレ−ドに３の気体や流体が通り抜けるとブレ−ドの反対面に８図の１１のように渦が出来てブレ−ドの回転力が落ちるが請求項１５の７図のようにブレ−ドに３の気体や流体が当たる反対面に９のように凸凹の溝を付けることで３の気体や流体が１０のようにブレ−ドの反対面に渦を巻かなく流れやすくブレ−ドの回転力が増す、
【００２２】
請求項１７は９図のように気体や流体が当たるブレ−ドの反対側に横状に１２のように凸凹の溝を入れる、溝の大きさは決まっていない，
【００２３】
請求項１８は９図のブレ−ドの気体や流体が当たる反対面に１２のように横状に凸凹の溝を付けることで８図の１１のようにプレ−ド面の反対側に渦が巻かなく１０図の３の気体や流体がブレ−ドの反対面を４２のように通りやすくなってブレ−ドの回転がしやすくブレ−ドの回転力が増す、
【００２４】
請求項１９は請求項１５，１６の気体や流体が当たるブレ−ドの反対面に縦状に凸凹の溝を付けたのと請求項１７，１８の気体や流体が当たるブレ−ドの反対面に横状に凸凹の溝を付けたとの組み合わせで溝を付ける、
【００２５】
請求項２０は１１図のように３の気体や流体がブレ−ド面の反対面を通り抜けるとき１１図の１３のように多くの凸凹があるところを通ると８図の１１のようにブレ−ド面の反対面側に渦が巻かなく１１図の４３のようにブレ−ド面の反対面側を気体や流体が通り抜けてブレ−ドが回転しやすくブレ−ドの回転力が増す
【００２６】
請求項２１は気体や流体が当たるブレ−ドを１２図のようにうすい鉄やアルミニュウムやステンレスやトタンやブリキにしてブレ−ドの縦状に端から端まで３９のように多くのへの字に折り曲げたブレ−ドを造る１２図はブレ−ドを縦上から見ている、
【００２７】
請求項２２はブレ−ドをうすくして縦状に多くのへの字に折り曲げることによってブレ−ドが強度を増して丈夫になる、
【００２８】
請求項２３はブレ−ドをうすくして縦状に多くのへの字に折り曲げることによってブレ−ドが軽くて丈夫になって気体や流体が当たるとブレ−ドの回転力が増す、
【００２９】
請求項２４はブレ−ドをうすくして縦状に多くのへの字に折り曲げたブレ−ドはブレ−ドの面積が多くなっているので気体や流体が当たるとブレ−ドの回転力が増す、
【００３０】
請求項２５はブレ−ドをうすくして縦状に多くのへの字に折り曲げたブレ−ドに気体や流体が当たると１３図の４５のようにへの字の溝に気体や流体が当たって溝の中で気体や流体が圧縮してブレ−ド全体に有る溝が気体や流体で圧縮されて圧力があってブレ−ド全体に力が増して回転力が上がる、
【００３１】
請求項２６は１３図のようにブレ−ドをうすくして縦状に多くのへの字に折り曲げたブレ−ドに気体や流体が当たる反対側のブレ−ド面は多くのへの字の凸凹になっており３の気体や流体が通る時に気体や流体が４６のように渦状にならなくブレ−ドの回転がしやすい、１３図はブレ−ドを縦上から見ている
【００３２】
、
請求項２７は風力発電などのブレ−ドに鳥など飛行する生物がぶつからない様に１４図の１５のようにブレ−ドにＬＥＤの節約電球の照明を付ける、鳥などがＬＥＤ電球の明かりを見て飛行を回避して衝突しない様にしている、
【００３３】
請求項２８は風力発電などのブレ−ドに鳥など飛行する生物がぶつからない様にブレ−ドや風力発電機本体などに鳥の嫌がる音や超音波を出す、鳥などが嫌な音や超音波を避けて飛行して衝突しない様にしている、
【００３４】
請求項２９は弱い気体の流れや弱い流体の流れでも１５図の１８ような筒の中に４４のように筒の内側の周りに気体や流体が圧縮するよう中心部は細くなるように取り付けて３の気体や流体を圧縮して１７の発電機の１６のブレ−ドを力強くや早く回転させて発電を行う、気体や流体の排出口は広げて圧縮した気体や流体の流れを３８のように排出して流れを良いくする、
【００３５】
請求項３０は弱い気体の流れや弱い流体の流れでも１６図の２１のように３の気体や流体を２１によって反射させて２２のように気体や流体を圧縮して１９や２０図の１９の縦状のブレ−ドを回転させて２０図３５の発電機を回転させて発電を行う、
【００３６】
請求項３１は請求項３０は１７図は１８図の２０や２３が動いていない状態であるが縦状ブレ−ドの発電機の本体が１８図の３の風の向きによって２０を押して２０と連結している２３が移動して３３を１９図の３３を押して３１を移動させて２７を移動させて４７を移動させて３４を持ちあげてそれが２９を持ち上げて連結している３７を持ち上げて発電機本体を風でも回らない様に３８の２６の窪みに２５がはまっていたのを２９と３７が持ち上がることによって２５が２６から外れて縦状ブレ−ドが回転しやすい方向へ回転して１６図のように気体の流れや流体の流れに向かって気体や流体が圧縮されて縦状ブレ−ドの回転が良いくなると２０や２３は風に向かって整えて移動しなく１７図や１９図の２５をその位置で２６の窪みにはまって固定する、
【産業上の利用可能性】
【００３７】
自然の力を利用して自然エネルギ−の効率を良いくして化石燃料や原子力の割合を減らせて資源の節約になる、
【図面の簡単な説明】
【００３８】
【図１】風力や水力や蒸気発電などに使用する羽根(ブレ−ド)に縦状に溝を入れた、
【図２】風力や水力や蒸気発電などに使用するブレ−ドに縦状に溝を入れたのをブレ−ドの立て上から見ている、
【図３】風力や水力や蒸気発電などに使用するブレ−ドに縦状に入れた溝に気体や流体が当たって溝に気体や流体が入り込んで溝に圧力がかかっている、
【図４】風力や水力や蒸気発電などに使用するブレ−ドに気体や流体が垂直に当たって気体や流体がブレ−ドの回転しやすい方向へ流れる様に溝を入れた、
【図５】図４を拡大している、
【図６】風力や水力や蒸気発電などに使用するブレ−ドに横状に溝を入れた、
【図７】風力や水力や蒸気発電などのブレ−ドにに気体や流体が当たる面の反対側の面に縦状に凸凹を付けて気体や流体が反対面を通る場合、気体や流体が渦を巻かなくブレ−ドが回転しやすい、
【図８】図７で気体や流体が当たる面の反対面に縦状の凸凹を付けなく気体や流体が反対面を通る場合に渦が巻いている、
【図９】風力や水力や蒸気発電などに使用するブレ−ドに気体や流体が当たる面の反対側の面に横状に凸凹の溝を付けている、
【図１０】図９のブレ−ドに気体や流体が反対面を通る場合の気体や流体の様子、
【図１１】風力や水力や蒸気発電などに使用するブレ−ドに気体や流体が当たる面の反対側に縦状と横状に凸凹の溝を付けた、気体や流体が反対面を通る場合の気体や流体の様子、
【図１２】風力や水力や蒸気発電などに使用するブレ−ドにうすい、鉄やアルミニウムやステンレスやトタンやブリキや金属やプラスチックを端から端までへの字の形に多く折り曲げたプレ−ドを縦上から見ている、
【図１３】図１２のブレ−ドに気体や流体が当たってへの字の形の溝に気体や流体が入り込んで圧縮して圧力を上げているのと、気体や流体が当たる面の反対側の面に気体や流体が通って流れている様子、反対面に有るへの字の形の縦状の凸凹に気体や流体が通っても渦を巻かなく通っていてブレ−ドが回転しやすい、
【図１４】風力発電用ブレ−ドに節約電気のＬＥＤ電球を取り付けてブレ−ドに鳥などがＬＥＤの電球の明かりを見て飛行を回避して衝突しない様にしている、
【図１５】弱い流れの気体や流体を筒の中を通して圧縮して発電機を回している、
【図１６】弱い流れの気体や流体でも縦状についた反射物質面に気体や流体が反射して圧縮されて縦状のブレ−ドを回して発電を行う、縦上から見た図、
【図１７】図１６の縦状の風力などの発電機は風の吹く向きによって縦状のブレ−ドの回転が良いく行われるように風の向きによって発電機本体が回転して向きを変える、その風の向きによって発電機の本体を回転させる装置、
【図１８】図１７の装置が風によって回転するために図１７の装置が作動する始まりの風に押された装置が移動している図、
【図１９】図１８の風に押されて移動した装置によって発電機本体が回転するために図１７の装置が作動している図、
【図２０】縦状ブレ−ドの発電機本体の全体図、
【図２１】風力や水力や蒸気発電機用ブレ−ドに横状に溝を入れて気体や流体がブレ−ド面に当たって流れている、
【図２２】風力や水力や蒸気発電機用ブレ−ドに横状に溝を入れて気体や流体の流れが当たって溝に気体や流体が入り込んで圧縮してブレ−ド全体に圧力を上げている、
【符号の説明】
【００３９】
１  風力や水力や蒸気発電などで使用する回転する羽根(ブレ−ド)、
２  回転するブレ−ドに縦状に溝を入れた、
３  気体の流れや流体の流れ、
４  気体や流体が溝に入り込んで圧縮して圧力を上げている、
５  気体や流体の流れが直角に当たってブレ−ドが回転しやすい方向へ気体や流体が流
る溝の面、
６  ５の気体や流体がブレ−ドの回転しやすい方向へ流れている、
７  ブレ−ドに当たった気体や流体がブレ−ドの回転しやすい方向に流れている方でなく溝に入り込んでいる気体や流体で溝に圧縮してブレ−ド全体に圧力を上げている、
８  風力や水力や蒸気発電用などのブレ−ドに横状に溝を入れている、
９  風力や水力や蒸気発電用ブレ−ドに気体や流体が当たる面の反対面に縦状に凸凹の溝を付けた、
１０  ９のブレ−ドの反対面に縦状に凸凹の溝を付けてその面を気体や流体が通っている、気体や流体が渦を巻かない、
１１  気体や流体が当たるブレ−ドの反対面に縦状に出凹の溝を付けていない場合に反対面に気体や流体が通る場合に気体や流体が渦を巻いている、
１２  ブレ−ドの反対面に横状に溝を入れた、
１３  ブレ−ドの反対面に縦状と横状に溝を入れた、縦状にも横状にも凸凹になっている、
１４  風力発電用ブレ−ド、
１５  風力発電用ブレ−ドに鳥など飛行する生物が衝突しない様にLED電球を付けている、
１６  弱い流れの気体や流体を筒に流して圧縮して圧力を上げて回転させる中心部に有る発電用ブレ−ド、
１７  １６の発電機、
１８  弱い流れの気体や流体を通して圧縮する筒、
１９  弱い流れの気体や流体も縦状の物体で反射して圧縮して圧力を上げて回転させる縦状の回転羽(ブレ−ド)、
２０  縦状発電機を風の向きによって回転させて縦状ブレ−ドが一番いいく回転する位置で固定するための最初に作動する風によって移動する縦状の物質、
２１  弱い流れの気体や流体も反射して圧縮して圧力を上げて縦状ブレ−ドを回転させる反射させる物質、
２２  ２１の気体や流体を圧縮して圧力を上げて縦状ブレ−ドに集めている、
２３  ２０の風によって移動する縦状の物質に連結していて２０が動くと連動して動いて縦状発電機の本体を回転させる装置を作動させて縦状ブレ−ドが一番いい回転する風の方向に固定する、
２４  縦状発電機の本体が回転して縦状ブレ−ドの回転が一番いい風の向きで固定させるためのバネ、縦状発電機の本体についている３８の２６の窪みにバネの力で２５がはまる、
２５  縦状発電機の本体を回転させて縦状ブレ−ドの回転が一番いい風の向きで固定させる、２６の窪みにはまる、
２６  縦状発電機の本体を回転させて縦状ブレ−ドの回転が一番いい風の向きに固定させる窪み、２５がはまる、
２７  風の向きによって２０が移動して連結している２３が移動して３３を押して３１を移動して４６移動させる支点、
２８  ３１を移動させて２７を移動させる支点、
２９  縦状ブレ−ドが一番いいく回転する風の向きに縦状発電機の本体を回転させて固定させるのに２５を動かして２５を２６の窪みに、はめたり、抜いたりする、
３０  縦状発電機を地面などに固定させるための杭、
３１  縦状ブレ−ドが一番いいく回転する風の向きに縦状発電機を回転させて固定させるのに２３が動いて３３が動いてそれに連動して動く、
３２  縦状ブレ−ドが一番いい回転する風の向きに縦状発電機を回転させるのに２０が動いて連動している２３を動かすのにぶれない様に２０と２３の動く支点として働いている物質
３３  ２３が動くと連動して動く、
３４  縦状発電機を回転させて固定させる２５を２６から抜いたり、はめたりする２９を動かす、
３５  縦状発電機の本体に付いている発電機、
３６  縦状発電機を回転させて固定させる２５を２６から抜いたり、はめたりするのに動く３７をぶれない様に固定している、
３７  縦状発電機を回転させて固定させる２５を２６から抜いたり、はめたりするのに動く、
３８  縦状発電機を回転させて固定させる２５をはめたり、抜いたりする２６の窪みが付いて縦状発電機本体に付いている、
３９  回転ブレ−ドをうすい、鉄やアルミニュムやステンレスやトタンやブリキや金属やプラスチックなどにして端から端までへの字の形に折り曲げているへの字の折り曲げてあるところ、
４０  気体や流体が当たるブレ−ド面に横状に溝を付けた面に気体や流体が当たって溝を気体や流体が流れている様子、
４１  気体や流体が当たるブレ−ド面に横状に溝を付けた溝に気体や流体が当たって溝に入り込んで圧縮している様子で、ブレ−ド全体に圧力が上がっている、
４２  気体や流体が当たるブレ−ド面の反対面に横状に溝を付けて気体や流体がそのプレ−ド面の反対面を通っている様子、
４３  気体や流体が当たるブレ−ド面の反対面に縦状と横状に溝を付けて凸凹の溝を付けて気体や流体がそのプレ−ドの反対面を通っている様子、
４４  縦状発電機が風の向きで回転する時、縦状発電機本体に付いている発電機も一緒に回ってブレ−ドが一番いい回転する方向で固定した位置で発電機も固定するが、風の向きに関係なく初めから固定している縦状発電機本体の下に付いている２６の窪みが付いた３８の中心部に棒状にして発電機から通して縦状発電機本体の上部だけ動くようにして有る、
４５  ３９のブレ−ドをうすい、鉄やアルミニュムやステンレスやトタンやブリキや金属やプラスチックなどにして端から端までへの字の形に折り曲げてあるへの字の溝の窪みに気体や流体が当たって圧縮している様子、ブレ−ド全体に圧力がかかっている、
４６  ４５のブレ−ドの反対面に気体や流体が通っている様子、
４７  縦状発電機が風の向きで回転する時２０が風に押されて連動している２３が移動して３３が押されて３１が移動して４７が移動している、
【図１】
2015158168.tif 000003
【図２】
2015158168.tif 000004
【図３】
2015158168.tif 000005
【図４】
2015158168.tif 000006
【図５】
2015158168.tif 000007
【図６】
2015158168.tif 000008
【図７】
2015158168.tif 000009
【図８】
2015158168.tif 000010
【図９】
2015158168.tif 000011
【図１０】
2015158168.tif 000012
【図１１】
2015158168.tif 000013
【図１２】
2015158168.tif 000014
【図１３】
2015158168.tif 000015
【図１４】
2015158168.tif 000016
【図１５】
2015158168.tif 000017
【図１６】
2015158168.tif 000018
【図１７】
2015158168.tif 000019
【図１８】
2015158168.tif 000020
【図１９】
2015158168.tif 000021
【図２０】
2015158168.tif 000022
【図２１】
2015158168.tif 000023
【図２２】
2015158168.tif 000024
【手続補正書】
【提出日】平成26年3月14日(2014.3.14)
【手続補正１】
【補正対象書類名】図面
【補正対象項目名】図７
【補正方法】変更
【補正の内容】
【図７】
2015158168.tif 000025
【手続補正２】
【補正対象書類名】図面
【補正対象項目名】図８
【補正方法】変更
【補正の内容】
【図８】
2015158168.tif 000026
【手続補正３】
【補正対象書類名】図面
【補正対象項目名】図９
【補正方法】変更
【補正の内容】
【図９】
2015158168.tif 000027
【手続補正４】
【補正対象書類名】図面
【補正対象項目名】図１０
【補正方法】変更
【補正の内容】
【図１０】
2015158168.tif 000028
【手続補正５】
【補正対象書類名】図面
【補正対象項目名】図１１
【補正方法】変更
【補正の内容】
【図１１】
2015158168.tif 000029
【手続補正６】
【補正対象書類名】図面
【補正対象項目名】図１２
【補正方法】変更
【補正の内容】
【図１２】
2015158168.tif 000030